(57)【要約】【課題】撮影静止画像等の配置方法の自由度を高める。【解決手段】スルー処理中にタッチパネル操作にて表示領域の分割指示を受け付ける。１回目の分割指示（ＱD）の入力に応答して表示領域４００が領域４１０及び４２０に分割されると、領域４１０を用いてスルー処理（スルー画像の表示）を行う。その後、１回目の撮影指示（ＱS）が入力されると、第１対象画像（撮影静止画像）を領域４１０に表示する一方で領域４２０を用いてスルー処理を行う。２回目の分割指示の入力に応答して表示領域４２０が領域４２０’及び４３０に分割されると、領域４２０’を用いてスルー処理を行う。その後、２回目の撮影指示が入力されると、第２対象画像を領域４２０’に表示する一方で領域４３０を用いてスルー処理を行う。更に、３回目の撮影指示の入力に応答して第３対象画像を領域４３０に表示する。【選択図】図１２
2014176058.tif 000002
【特許請求の範囲】
【請求項１】
入射光に応じた画像信号を出力する撮像部と、
表示画面と、
撮影指示及び前記表示画面の表示領域の分割指示の入力を受ける指示入力受付部と、
前記撮影指示の入力に応答して前記撮像部の出力信号から撮影静止画像の画像信号を生成する画像処理部と、
前記撮像部の出力信号に基づく動画像を前記表示画面に表示するスルー処理を行う表示制御部と、を備え、
前記表示制御部は、前記スルー処理の実行中に入力された前記分割指示に従って前記表示領域を複数に分割し、その分割後、前記撮影指示が入力されたとき、分割によって得られた何れかの領域に前記撮影静止画像を表示する一方、分割によって得られた他の領域である残表示領域を用いて前記スルー処理を行う
ことを特徴とする撮像装置。
【請求項２】
前記表示制御部は、前記分割指示に従って形成された複数の領域に、前記撮影指示の順次入力に応答して得られた複数の撮影静止画像を表示し、前記画像処理部は、前記表示画面の表示レイアウトに沿って前記複数の撮影静止画像を合成する
ことを特徴とする請求項１に記載の撮像装置。
【請求項３】
前記残表示領域を用いた前記スルー処理の実行中において、新たに前記分割指示が入力されることなく、第２回目の撮影指示が入力されたとき、前記表示制御部は、前記残表示領域に前記第２回目の撮影指示に対応する撮影静止画像を表示し、前記画像処理部は、前記表示画面の表示レイアウトに沿って第１及び第２回目の撮影指示に対応する２枚の撮影静止画像を合成する
ことを特徴とする請求項１又は２に記載の撮像装置。
【請求項４】
前記表示制御部は、
前記残表示領域を用いた前記スルー処理の実行中において前記残表示領域に対し前記分割指示が入力されたとき、その入力分割指示に従って前記残表示領域を複数に再分割する再分割動作と、
前記再分割動作の後、第ｉ回目の撮影指示が入力されたとき、再分割によって得られた何れかの領域に前記第ｉ回目の撮影指示に対応する撮影静止画像を表示する一方、再分割によって得られた他の領域を新たな残表示領域として用いて前記スルー処理を行う残表示領域スルー動作（ｉは２以上の整数）と、を実行可能であり、又は、前記再分割動作及び前記残表示領域スルー動作を交互に繰り返し実行可能であり、
前記第ｉ回目の撮影指示の後、新たに前記分割指示が入力されることなく、第（ｉ＋１）回目の撮影指示が入力されたとき、前記表示制御部は、最新の残表示領域に前記第（ｉ＋１）回目の撮影指示に対応する撮影静止画像を表示し、前記画像処理部は、前記表示画面の表示レイアウトに沿って第１〜第（ｉ＋１）回目の撮影指示に対応する（ｉ＋１）枚の撮影静止画像を合成する
ことを特徴とする請求項１〜３の何れかに記載の撮像装置。
【請求項５】
前記分割指示は、前記分割の境界に沿って操作体を前記表示画面上で移動させるタッチパネル操作から成る
ことを特徴とする請求項１〜４の何れかに記載の撮像装置。
【発明の詳細な説明】
【技術分野】
【０００１】
本発明は、撮像装置に関する。
【背景技術】
【０００２】
複数のレイアウトパターンを予め記録しておき、ユーザが複数のレイアウトパターンの中から選択したレイアウトパターンに沿って、撮影済み画像（撮影静止画像）及び撮影準備画像（所謂スルー画像）を表示画面に配列表示する方法が提案されている（下記特許文献１参照）。
【先行技術文献】
【特許文献】
【０００３】
【特許文献１】特開２００８−２５８７４５号公報
【発明の概要】
【発明が解決しようとする課題】
【０００４】
しかしながら、この方法では、予め用意されたレイアウトパターンに沿ってしか撮影済み画像（撮影静止画像）等の配置を行うことができず、配置に関する自由度が低い。ユーザ所望のレイアウトパターンを紙に描き、当該紙を事前に撮影することでレイアウトパターンの新規追加を行う方法も特許文献１に提案されているが、そのような方法は手間がかかるし、事前撮影の必要性はシャッタチャンスの逸失につながる。
【０００５】
そこで本発明は、撮影静止画像等の配置方法の自由度向上に寄与する撮像装置を提供することを目的とする。
【課題を解決するための手段】
【０００６】
本発明に係る撮像装置は、入射光に応じた画像信号を出力する撮像部と、表示画面と、撮影指示及び前記表示画面の表示領域の分割指示の入力を受ける指示入力受付部と、前記撮影指示の入力に応答して前記撮像部の出力信号から撮影静止画像の画像信号を生成する画像処理部と、前記撮像部の出力信号に基づく動画像を前記表示画面に表示するスルー処理を行う表示制御部と、を備え、前記表示制御部は、前記スルー処理の実行中に入力された前記分割指示に従って前記表示領域を複数に分割し、その分割後、前記撮影指示が入力されたとき、分割によって得られた何れかの領域に前記撮影静止画像を表示する一方、分割によって得られた他の領域である残表示領域を用いて前記スルー処理を行うことを特徴とする。
【０００７】
これにより、スルー処理の実行中に、撮影対象の大きさ及び形状やユーザ（撮影者）の気分に合わせ、ユーザ所望の領域分割を行うことができ、撮影静止画像等の配置に関する自由度が高まる。
【０００８】
そして例えば、前記表示制御部は、前記分割指示に従って形成された複数の領域に、前記撮影指示の順次入力に応答して得られた複数の撮影静止画像を表示し、前記画像処理部は、前記表示画面の表示レイアウトに沿って前記複数の撮影静止画像を合成しても良い。
【０００９】
これにより、その時々の撮影対象の大きさ及び形状やユーザ（撮影者）の気分に合わせた、ユーザ所望の画像配列状態を持つ合成結果を得ることが可能である。
【００１０】
具体的には例えば、前記残表示領域を用いた前記スルー処理の実行中において、新たに前記分割指示が入力されることなく、第２回目の撮影指示が入力されたとき、前記表示制御部は、前記残表示領域に前記第２回目の撮影指示に対応する撮影静止画像を表示し、前記画像処理部は、前記表示画面の表示レイアウトに沿って第１及び第２回目の撮影指示に対応する２枚の撮影静止画像を合成しても良い。
【００１１】
また具体的には例えば、前記表示制御部は、前記残表示領域を用いた前記スルー処理の実行中において前記残表示領域に対し前記分割指示が入力されたとき、その入力分割指示に従って前記残表示領域を複数に再分割する再分割動作と、前記再分割動作の後、第ｉ回目の撮影指示が入力されたとき、再分割によって得られた何れかの領域に前記第ｉ回目の撮影指示に対応する撮影静止画像を表示する一方、再分割によって得られた他の領域を新たな残表示領域として用いて前記スルー処理を行う残表示領域スルー動作（ｉは２以上の整数）とを実行可能であり、又は、前記再分割動作及び前記残表示領域スルー動作を交互に繰り返し実行可能であり、前記第ｉ回目の撮影指示の後、新たに前記分割指示が入力されることなく、第（ｉ＋１）回目の撮影指示が入力されたとき、前記表示制御部は、最新の残表示領域に前記第（ｉ＋１）回目の撮影指示に対応する撮影静止画像を表示し、前記画像処理部は、前記表示画面の表示レイアウトに沿って第１〜第（ｉ＋１）回目の撮影指示に対応する（ｉ＋１）枚の撮影静止画像を合成しても良い。
【００１２】
また具体的には例えば、前記分割指示は、前記分割の境界に沿って操作体を前記表示画面上で移動させるタッチパネル操作から成る。
【発明の効果】
【００１３】
本発明によれば、撮影静止画像等の配置方法の自由度向上に寄与する撮像装置を提供することが可能である。
【図面の簡単な説明】
【００１４】
【図１】本発明の実施形態に係る撮像装置の概略全体ブロック図である。
【図２】タッチパネルの構造を示す図である。
【図３】撮像素子の有効画素領域と、入力画像と、切り出し画像との関係を示す図である。
【図４】時系列に並ぶ複数のスルー画像を示す図である。
【図５】表示画面上のスルー表示領域を示す図である。
【図６】時系列に並ぶ複数の入力画像及び複数の切り出し画像を示す図である。
【図７】分割指示に従って表示領域を２つに分割する方法を示す図である。
【図８】分割指示に従って表示領域を４つに分割する方法を示す図である。
【図９】本発明の第１実施例に係り、表示画面の表示内容変化及びユーザの指示入力を示す図である。
【図１０】本発明の第１実施例に係る複数の対象画像及び合成画像を示す図である
【図１１】入力画像とスルー画像との関係を示す図である。
【図１２】本発明の第２実施例に係り、表示画面の表示内容変化及びユーザの指示入力を示す図である。
【図１３】本発明の第２実施例に係る複数の対象画像及び合成画像を示す図である
【図１４】本発明の第３実施例に係り、表示画面の表示内容変化及びユーザの指示入力を示す図である。
【図１５】本発明の第３実施例に係る複数の対象画像及び合成画像を示す図である
【図１６】本発明の第５実施例に係り、表示画面の表示内容変化及びユーザの指示入力を示す図である。
【図１７】表示領域の分割状態を示す図である。
【図１８】本発明の第５実施例に係り、図１７の分割状態が得られた後の、表示画面の表示内容変化及びユーザの指示入力を示す図である。
【発明を実施するための形態】
【００１５】
以下、本発明の実施形態の例を、図面を参照して具体的に説明する。参照される各図において、同一の部分には同一の符号を付し、同一の部分に関する重複する説明を原則として省略する。尚、本明細書では、記述の簡略化上、情報、信号、物理量、状態量又は部材等を参照する記号又は符号を記すことによって該記号又は符号に対応する情報、信号、物理量、状態量又は部材等の名称を省略又は略記することがある。
【００１６】
図１は、本発明の実施形態に係る撮像装置１の構成ブロック図である。撮像装置１は、符号１１〜１６によって参照される各部位を備える。
【００１７】
撮像部１１は、複数枚のレンズから形成される光学系と、ＣＣＤ（Charge Coupled Device）又はＣＭＯＳ（Complementary Metal Oxide Semiconductor）イメージセンサなどから成る撮像素子（固体撮像素子）ＩＳを備える。撮像素子ＩＳは、光学系を介して入射した、被写体に応じた光を光電変換することで、被写体の画像信号を生成し出力する。即ち、撮像部１１は、撮像素子ＩＳを用いて被写体（撮影対象）を撮影することで被写体の画像信号を生成及び出力する。
【００１８】
画像処理部１２は、撮像部１１の出力信号に対して所定の信号処理を施す。主制御部１３は、ＣＰＵ（Central Processing Unit）、ＲＯＭ（Read Only Memory）及びＲＡＭ（Random Access Memory）等にて形成され、操作部１６に入力された各種指示及び操作に従いつつ、撮像装置１内の各部位の動作を統括的に制御する。表示画面１４は、液晶ディスプレイパネル等から成り、任意の映像を表示する。主制御部１３に内包される表示制御部（不図示）により、表示画面１４の表示内容の制御が行われる。本実施形態において、表示及び表示画像とは、特に記述無き限り、表示画面１４における表示及び表示画像を指す。記録媒体１５は、半導体メモリや磁気ディスク等にて形成された不揮発性の記録媒体であり、任意の信号及びデータを記録する。主制御部１３に内包される記録制御部（不図示）により、記録媒体１５の記録制御が行われる。操作部１６は、機械式押しボタンスイッチやダイヤル等の機械式操作部材、及び／又は、表示画面１４に付随するタッチパネルにて形成され、ユーザからの各種指示及び操作を受け付ける。ユーザとは、撮像装置１の操作者（撮影者を含む）である。
【００１９】
以下では、操作部１６にタッチパネルが含まれているものとする。図２に示す如く、操作体が表示画面１４に触れている位置（圧力を加えている位置）を検出するタッチ検出部ＴＤが、表示画面１４に付随してタッチパネルに設けられる。尚、表示画面１４もタッチパネルの構成要素に含まれる、と考えても良い。操作体は、指やペンなどであるが、以下の説明では、主として操作体がユーザの指であることを想定している。タッチ検出部ＴＤは、操作体が表示画面１４に触れている際、その触れている位置（以下、タッチ位置という）を表すタッチ操作情報をリアルタイムに主制御部１３等へ出力する。主制御部１３は、タッチ操作情報に応じた動作が撮像装置１内の各部位にて実行されるように、撮像装置１内の各部位を制御する。操作体で表示画面１４を触れる操作をタッチパネル操作とも呼ぶ。
【００２０】
また、撮像部１１の出力信号に基づく被写体の撮影画像を入力画像と呼ぶ。但し、図３に示す如く、入力画像は、撮像素子ＩＳの有効画素領域に結像する画像全体を指すものとする。記号ＣＮＴは、撮像素子ＩＳの有効画素領域の中心を示す。中心ＣＮＴにおける画像信号が入力画像の中心に存在する。撮像装置１（例えば画像処理部１２又は主制御部１３）に、切り出し処理部２１を設けておくことができる。切り出し処理部２１は、入力画像内に切り出し枠ＣＦを設定し、切り出し枠ＣＦ内の画像を切り出し画像として入力画像から抽出する（即ちトリミングを行う）。切り出し画像は入力画像の一部に相当する。
【００２１】
撮像部１１は、所定のフレームレートで順次撮影を行うことができる。主制御部１３は、スルー処理を実行可能である。スルー処理とは、所定のフレームレートで撮像部１１から順次出力される画像信号に基づく動画像を表示画面１４に表示する処理を指す。図４を参照する。時刻ｔ［１］〜ｔ［ｍ］間のスルー処理では、スルー画像ＩTH［１］〜ＩTH［ｍ］から成る動画像が表示画面１４のスルー表示領域に表示される（ｍは２以上の整数）。スルー表示領域は、図５（ａ）又は（ｂ）に示す如く、表示画面１４の全表示領域又はその一部である。主制御部（表示制御部）１３によってスルー表示領域が設定される。スルー処理及びスルー画像を、ライブビュー処理及びライブビュー画像と呼んでも良い。スルー画像ＩTH［ｉ］は、時刻ｔ［ｉ］において表示されるスルー画像を指す（ｉは整数）。任意の整数ｉに関し、時刻ｔ［ｉ＋１］は上記フレームレートの逆数分だけ時刻ｔ［ｉ］よりも遅い。スルー画像ＩTH［ｉ］は、時刻ｔ［ｉ］において撮影及び取得される入力画像ＩIN［ｉ］又は入力画像ＩIN［ｉ］に基づく切り出し画像ＩCUT［ｉ］である（図６参照）。但し、入力画像又は切り出し画像からスルー画像を生成する際、スルー表示領域の画素数に合わせた画像信号の解像度変換が行われる。
【００２２】
操作部（指示入力受付部）１６がユーザから受ける指示には、静止画像の撮影指示である撮影指示ＱS、及び、表示画面１４の表示領域の分割を要求する指示である分割指示ＱDが含まれる。操作部１６は、スルー処理の実行中において撮影指示ＱS及び分割指示ＱDの入力を受け付ける。以下の説明において、指示ＱS及びＱDの入力を含む任意の指示の入力とは、操作部１６又は撮像装置１に対する、指示の入力と解される。但し、分割指示ＱDは、表示領域に対して入力されるものとも解される。
【００２３】
撮影指示ＱSが入力されたとき、画像処理部１２は、主制御部１３の制御の下で撮影指示ＱSの入力に応答し、撮影指示ＱSの入力時における撮像部１１の出力信号から対象画像の画像信号（ＹＵＶ信号など）を生成する。対象画像は、撮影指示ＱSの入力に応答して撮影及び取得された静止画像（撮影静止画像）であり、撮影指示ＱSの入力時（入力直後を含む）における入力画像又は切り出し画像に相当する。
【００２４】
分割指示ＱDは、操作体及び表示画面１４間の接触状態を維持したまま、操作体を表示画面１４上で始点から終点まで移動させるタッチパネル操作（即ち、タッチ位置を始点から終点まで移動させるタッチパネル操作）である。図７（ａ）において、位置３０１及び３０２は、分割指示ＱDにおける始点及び終点の例である。操作体が始点から終点に向かう時の操作体の移動軌跡に曲線が含まれていても良いが、ここでは、説明の便宜上、当該移動軌跡は直線のみを含んでいると考える。分割指示ＱDの始点及び終点間を結ぶ線を分割指示線と呼ぶ。また、分割の対象となる元の表示領域を被分割表示領域と呼ぶ。被分割表示領域は、スルー表示領域と一致していて良い。分割指示ＱDが入力されたとき、主制御部（表示制御部）１３は、ハフ変換等を適宜利用しつつ、タッチ操作情報に基づき分割指示線を検出し、分割指示線を境界にして被分割表示領域を分割する。
【００２５】
図７（ｂ）の斜線領域３１０は被分割表示領域の例である。被分割表示領域は、斜線領域３１０の如く表示画面１４の全表示領域と一致することもあるし、全表示領域の一部でもありうる。図７（ｂ）及び（ｃ）において、線３０３は、始点３０１及び終点３０２にて形成される分割指示線である。図７（ａ）〜（ｃ）の例の場合、分割指示線３０３を境界にして被分割表示領域３１０が表示領域３２０及び３３０に分割される（従って、領域３１０は領域３２０及び３３０の合成領域である）。
【００２６】
分割指示ＱDにより表示画面１４の表示領域を、任意の大きさ及び形状を有する２つ以上の領域に分割することができる。図８に、３回分の分割指示ＱDにより表示画面１４の全表示領域が４つの表示領域に分割されるときの様子を示す。当初において、表示画面１４における所定の表示領域４００が被分割表示領域として機能する。表示領域４００は、表示画面１４の全表示領域又は全表示領域の一部である。
【００２７】
１回目の分割指示ＱDが入力されると、１回目の分割指示ＱDにて定まる分割境界線ＤＬ１を境界にして、表示領域４００が表示領域４１０及び４２０に分割される。その後、表示領域４２０が被分割表示領域として機能した状態で、２回目の分割指示ＱDが入力されると、２回目の分割指示ＱDにて定まる分割境界線ＤＬ２を境界にして、表示領域４２０が表示領域４２０’及び４３０に分割される。更にその後、表示領域４３０が被分割表示領域として機能した状態で、３回目の分割指示ＱDが入力されると、３回目の分割指示ＱDにて定まる分割境界線ＤＬ３を境界にして、表示領域４３０が表示領域４３０’及び４４０に分割される。４回目以降の分割指示ＱDが入力された場合も同様である。このように、分割指示ＱDは、分割の境界に沿って（分割境界線となるべき線に沿って）操作体を表示画面１４上で移動させるタッチパネル操作である。
【００２８】
撮像装置１は、複数回の撮影指示ＱSに応答して得られた複数の対象画像を合成し、合成画像を組写真として生成する組写真撮影を行うことができる。以下、組写真撮影の動作等の詳細を複数の実施例の中で説明する。矛盾無き限り、以下に述べる複数の実施例の内、或る実施例に記載の事項を、他の任意の実施例に適用可能及び組み合わせ可能である。
【００２９】
＜＜第１実施例＞＞
第１実施例を説明する。第１実施例では、２枚の対象画像から組写真を生成することを想定する。図９は、第１実施例に係る表示画面１４の表示内容変化及びユーザの指示入力を示す図である。図１０は、第１実施例に係る第１及び第２対象画像５１１及び５１２並びに合成画像５２０を示す図である。図９において、丸にて囲まれた整数ｊは、表示された第ｊ対象画像を表している（後述の図１２等でも同様）。
【００３０】
当初、表示領域４００がスルー表示領域に設定されて表示領域４００にスルー画像が表示されると共に、表示領域４００が被分割表示領域として機能する。表示領域４００に対するスルー処理の実行中に１回目の分割指示ＱDが入力されると、主制御部１３は、表示領域４００を表示領域４１０及び４２０に分割する（尚、第１実施例では、２回目の分割指示ＱDは存在しない）。
【００３１】
このとき、表示領域４１０及び４２０が新たなスルー表示領域の候補となる。スルー表示領域の候補が複数ある場合、主制御部１３は、所定規則に従って複数の候補の何れかを新たなスルー表示領域に設定する。例えば、主制御部１３は、複数の候補としての複数の表示領域の内、より大きい方の表示領域、表示画面１４上でより左側に位置する表示領域、又は、表示画面１４上でより上側に位置する表示領域を、スルー表示領域に設定する（後述の他の実施例でも同様）。或いは、主制御部１３は、ユーザにより操作部１６に入力された所定のスルー表示領域設定指示に従って、複数の候補の何れかを新たなスルー表示領域に設定しても良い（後述の他の実施例でも同様）。
【００３２】
今、表示領域４１０が新たなスルー表示領域に設定されたものとする。そうすると、主制御部１３は表示領域４１０にスルー画像を表示する（図９の上段における左から２番目の表示画面１４を参照）。上記複数の候補としての複数の表示領域の内、スルー表示領域に設定されなかった表示領域に対し、主制御部１３は、任意の画像（例えば、壁紙画像のような固定画像）を表示してよい（後述の他の実施例でも同様）。従って、図９の例では、表示領域４２０に任意の画像が表示される（但し、後述するように、表示領域４２０がスルー表示領域に設定された後は除く）。
【００３３】
図１１に、入力画像とスルー画像との関係を示す。図３の切り出し処理部２１により、現在のスルー表示領域の形状と相似の形状を有する切り出し枠ＣＦが入力画像に設定され、これによって得られた切り出し画像がスルー画像として現在のスルー表示領域に表示される。切り出し枠ＣＦの中心は入力画像の中心と一致していると良い（但し、それらを不一致にすることも可能である）。上記の相似を確保しつつ、切り出し枠ＣＦの大きさをなるだけ大きくすると良い。切り出し処理部２１は、撮像部１１の出力信号に基づき入力画像から人の顔を検出し、顔の画像信号が存在する顔領域が切り出し枠ＣＦ内に含まれるように又は当該顔領域が切り出し枠ＣＦの中心に位置するように、入力画像上の切り出し枠ＣＦの位置を動的に制御しても良い（対象画像の切り出し時における切り出し枠ＣＦについても同様）。
【００３４】
１回目の分割指示ＱDの入力後、表示領域４１０を用いたスルー処理の実行中において、１回目の撮影指示ＱSが入力されると、画像処理部１２は、１回目の撮影指示ＱSの入力時における撮像部１１の出力信号から第１対象画像の画像信号を生成する。“ｉ回目の撮影指示ＱSの入力時”は、ｉ回目の撮影指示ＱSの入力タイミングを基準としたタイミング（例えば、ｉ回目の撮影指示ＱSの入力直後のタイミング）を含む（ｉは整数）。撮影指示ＱSは、現在のスルー表示領域を操作体にて触れるタッチパネル操作であるとする。従って、１回目の撮影指示ＱSは、表示領域４１０を操作体にて触れるタッチパネル操作である。
【００３５】
切り出し処理部２１は、ｉ回目の撮影指示ＱSの入力時にスルー表示領域に表示されているスルー画像と同じ構図及び画角を持った画像を、第ｉ対象画像として、ｉ回目の撮影指示ＱSの入力時に取得される入力画像から切り出す（ｉは整数）。つまり、切り出し処理部２１は、ｉ回目の撮影指示ＱSの入力時に取得される入力画像に対して、現在のスルー表示領域の形状と相似の形状を有する切り出し枠ＣＦを設定し、設定切り出し枠ＣＦ内の画像を第ｉ対象画像として取得する。この際、切り出し枠ＣＦの中心は入力画像の中心と一致していると良い（但し、それらを不一致にすることも可能である）。上記の相似を確保しつつ、切り出し枠ＣＦの大きさをなるだけ大きくすると良い。
【００３６】
第１対象画像が取得されると、主制御部１３は、スルー表示領域を表示領域４１０から表示領域４２０に変更し、表示領域４１０に第１対象画像（撮影静止画像）を固定的に表示すると共に新たなスルー表示領域である表示領域（残表示領域）４２０を用いてスルー処理を実行する（図９の上段における左から３番目の表示画面１４を参照）。その後、表示領域４２０を用いたスルー処理の実行中において、２回目の分割指示ＱDが入力されることなく２回目の撮影指示ＱSが入力されると、表示領域４００の分割数は２で確定し、画像処理部１２は、２回目の撮影指示ＱSの入力時における撮像部１１の出力信号から第２対象画像の画像信号を生成する。すると、主制御部１３は、スルー処理を停止して表示領域４２０に第２対象画像を表示する（図９の上段における左から４番目（即ち右端）の表示画面１４を参照）。一方で、画像処理部１２は、第１及び第２対象画像が表示されているときの表示画面１４の表示レイアウトに沿って、第１及び第２対象画像を合成することにより合成画像を生成する。
【００３７】
つまり、図１０の例では、第１及び第２対象画像５１１及び５１２を合成することで１枚の合成画像５２０が組写真として生成される。この際、表示画面１４の表示レイアウトに倣い、合成画像５２０上の第１及び第２対象画像５１１及び５１２の位置関係が表示画面１４上の第１及び第２対象画像の位置関係と同じになるように合成処理が行われる。合成画像５２０の画像信号は１枚の静止画像（組写真）の画像信号として記録媒体１５に記録される。
【００３８】
＜＜第２実施例＞＞
第２実施例を説明する。第２実施例では、３枚の対象画像から組写真を生成することを想定する。図１２は、第２実施例に係る表示画面１４の表示内容変化及びユーザの指示入力を示す図である。図１３は、第２実施例に係る第１〜第３対象画像５６１〜５６３及び合成画像５７０を示す図である。
【００３９】
１回目の撮影指示ＱSの入力に応答して第１対象画像が取得されると共に表示領域４１０に表示され且つ表示領域４２０に対してスルー処理が実行されるまでの動作は、第１実施例と同様である。第２実施例では、表示領域４２０に対するスルー処理の実行中において、被分割表示領域として機能する表示領域４２０の更なる分割を指示する２回目の分割指示ＱDが入力され、結果、表示領域４２０が表示領域４２０’及び４３０に再分割される（図８も参照）。このとき、第１実施例で述べた方法に従い、表示領域４２０’が新たなスルー表示領域に設定されたとする。そうすると、主制御部１３は表示領域４２０’にスルー画像を表示する。
【００４０】
２回目の分割指示ＱDの入力後、表示領域４２０’を用いたスルー処理の実行中において、２回目の撮影指示ＱSが入力されると、画像処理部１２は、２回目の撮影指示ＱSの入力時における撮像部１１の出力信号から第２対象画像の画像信号を生成する。上述の如く、撮影指示ＱSが現在のスルー表示領域を操作体にて触れるタッチパネル操作であるならば、２回目の撮影指示ＱSは表示領域４２０’を操作体にて触れるタッチパネル操作である。
【００４１】
第２対象画像が取得されると、主制御部１３は、スルー表示領域を表示領域４２０’から表示領域４３０に変更し、表示領域４２０’に第２対象画像を固定的に表示すると共に新たなスルー表示領域である表示領域４３０を用いてスルー処理を実行する。その後、表示領域４３０を用いたスルー処理の実行中において、３回目の分割指示ＱDが入力されることなく３回目の撮影指示ＱSが入力されると、表示領域４００の分割数は３で確定し、画像処理部１２は、３回目の撮影指示ＱSの入力時における撮像部１１の出力信号から第３対象画像の画像信号を生成する。すると、主制御部１３は、スルー処理を停止して表示領域４３０に第３対象画像を表示する。一方で、画像処理部１２は、第１〜第３対象画像が表示されているときの表示画面１４の表示レイアウトに沿って、第１〜第３対象画像を合成することにより合成画像を生成する。
【００４２】
つまり、図１３の例では、第１〜第３対象画像５６１〜５６３を合成することで１枚の合成画像５７０が組写真として生成される。この際、表示画面１４の表示レイアウトに倣い、合成画像５７０上の第１〜第３対象画像５６１〜５６３の位置関係が表示画面１４上の第１〜第３対象画像の位置関係と同じになるように合成処理が行われる。合成画像５７０の画像信号は１枚の静止画像（組写真）の画像信号として記録媒体１５に記録される。尚、入力画像から各対象画像を生成する過程において又は各対象画像から合成画像を生成する過程において、合成画像の画像サイズ及び表示レイアウトに合わせた解像度変換が行われる（他の実施例でも同様）。図１３の例では、対象画像５６２及び５６３の生成時に画像サイズ縮小用の解像度変換を介在させている。
【００４３】
＜＜第３実施例＞＞
第３実施例を説明する。第３実施例では、４枚の対象画像から組写真を生成することを想定する。図１４は、第３実施例に係る表示画面１４の表示内容変化及びユーザの指示入力を示す図である。図１５は、第３実施例に係る第１〜第４対象画像６１１〜６１４及び合成画像６２０を示す図である。
【００４４】
２回目の撮影指示ＱSの入力に応答して第２対象画像が取得されると共に表示領域４２０’に表示され且つ表示領域４３０に対してスルー処理が実行されるまでの動作は、第２実施例と同様である。第３実施例では、表示領域４３０に対するスルー処理の実行中において、被分割表示領域として機能する表示領域４３０の更なる分割を指示する３回目の分割指示ＱDが入力され、結果、表示領域４３０が表示領域４３０’及び４４０に再分割される（図８も参照）。このとき、第１実施例で述べた方法に従い、表示領域４３０’が新たなスルー表示領域に設定されたとする。そうすると、主制御部１３は表示領域４３０’にスルー画像を表示する。
【００４５】
３回目の分割指示ＱDの入力後、表示領域４３０’を用いたスルー処理の実行中において、３回目の撮影指示ＱSが入力されると、画像処理部１２は、３回目の撮影指示ＱSの入力時における撮像部１１の出力信号から第３対象画像の画像信号を生成する。
【００４６】
第３対象画像が取得されると、主制御部１３は、スルー表示領域を表示領域４３０’から表示領域４４０に変更し、表示領域４３０’に第３対象画像を固定的に表示すると共に新たなスルー表示領域である表示領域４４０を用いてスルー処理を実行する。その後、表示領域４４０を用いたスルー処理の実行中において、４回目の分割指示ＱDが入力されることなく４回目の撮影指示ＱSが入力されると、表示領域４００の分割数は４で確定し、画像処理部１２は、４回目の撮影指示ＱSの入力時における撮像部１１の出力信号から第４対象画像の画像信号を生成する。すると、主制御部１３は、スルー処理を停止して表示領域４４０に第４対象画像を表示する。一方で、画像処理部１２は、第１〜第４対象画像が表示されているときの表示画面１４の表示レイアウトに沿って、第１〜第４対象画像を合成することにより合成画像を生成する。
【００４７】
つまり、図１５の例では、第１〜第４対象画像６１１〜６１４を合成することで１枚の合成画像６２０が組写真として生成される。この際、表示画面１４の表示レイアウトに倣い、合成画像６２０上の第１〜第４対象画像６１１〜６１４の位置関係が表示画面１４上の第１〜第４対象画像の位置関係と同じになるように合成処理が行われる。合成画像６２０の画像信号は１枚の静止画像（組写真）の画像信号として記録媒体１５に記録される。
【００４８】
＜＜第４実施例＞＞
第４実施例を説明する。２枚、３枚又は４枚の対象画像を合成して組写真を得る例を上述したが、５枚以上の対象画像から組写真を生成することも可能であり、その場合も、上述の方法を適用すれば良い。撮像装置１では、以下のような動作が実行されると考えることができる（図９、図１２及び図１４参照）。
【００４９】
主制御部（表示制御部）１３は、分割指示ＱDの入力後に撮影指示ＱSが入力されたとき、分割によって得られた何れかの領域（４１０）に対象画像を表示する一方で、分割によって得られた他の領域（４２０）である残表示領域を用いてスルー処理を行う。
【００５０】
主制御部（表示制御部）１３は、残表示領域（４２０）を用いたスルー処理の実行中において残表示領域に対し分割指示ＱDが入力されたとき、その入力分割指示ＱDに従って残表示領域（４２０）を複数（４２０’、４３０）に再分割する再分割動作、及び、再分割動作の後、２回目の撮影指示ＱSが入力されたとき、再分割によって得られた何れかの領域（４２０’）に２回目の撮影指示ＱSに対応する第２対象画像を表示する一方、再分割によって得られた他の領域（４３０）を新たな残表示領域に再設定し残表示領域（４３０）を用いてスルー処理を行う残表示領域スルー動作を実行可能である。
【００５１】
この後、更なる分割指示ＱDの入力がある場合には、再分割動作及び残表示領域スルー動作が交互に繰り返し実行されることになる（図１４参照）。ｉが２以上の整数であるとして、一般化すると、主制御部１３は、
残表示領域（例えば４２０又は４３０）を用いたスルー処理の実行中において残表示領域に対し分割指示ＱDが入力されたとき、その入力分割指示ＱDに従って残表示領域を複数（例えば、４２０’と４３０、又は、４３０’と４４０）に再分割する再分割動作と、
再分割動作の後、第ｉ回目の撮影指示ＱSが入力されたとき、再分割によって得られた何れかの領域（例えば、ｉ＝２なら４２０’又はｉ＝３なら４３０’）に第ｉ回目の撮影指示ＱSに対応する対象画像を表示する一方、再分割によって得られた他の領域（例えば、ｉ＝２なら４３０又はｉ＝３なら４４０）を新たな残表示領域に再設定し残表示領域を用いてスルー処理を行う残表示領域スルー動作と、
を交互に繰り返し実行可能である。
【００５２】
そして、第ｉ回目の撮影指示の後、新たに分割指示ＱDが入力されることなく、第（ｉ＋１）回目の撮影指示ＱSが入力されたとき、主制御部１３は、最新の残表示領域に第（ｉ＋１）回目の撮影指示に対応する対象画像を表示し、画像処理部１２は、第１〜第（ｉ＋１）対象画像が表示された表示画面１４の表示レイアウトに沿って、第１〜第（ｉ＋１）回目の撮影指示ＱSに対応する第１〜第（ｉ＋１）対象画像を合成する。
【００５３】
＜＜第５実施例＞＞
第５実施例を説明する。第１〜第４実施例では、１回分の分割指示ＱDを入力した後、次回の分割指示ＱDを入力する前に撮影指示ＱSの入力が介在しているが、撮影指示ＱSの入力を介在させることなく表示領域を一気に３個以上に分割するようにしても良い。以下に、その具体例を示す。
【００５４】
図８に示す如く、当初、表示領域４００がスルー表示領域に設定されて表示領域４００にスルー画像が表示され、且つ、表示領域４００が被分割表示領域として機能している場合を想定する。表示領域４００に対するスルー処理の実行中に、分割境界線ＤＬ１、ＤＬ２及びＤＬ３を定義する１、２及び３回目の分割指示ＱDが順次入力されると、主制御部１３は、表示領域４００を、表示領域４１０、４２０’、４３０’及び４４０に分割する。このとき、分割によって得られた４つの表示領域間の境界をユーザに視認させるような表示を行うと良い。
【００５５】
この分割後、図１６に示す如く、表示領域４１０を用いたスルー処理が行われ、ユーザは、１、２、３及び４回目の撮影指示ＱSを順次入力する。この際、ｉ回目の撮影指示ＱSが入力されるとｉ回目の撮影指示ＱSの入力に応答した第ｉ対象画像の表示及びスルー表示領域の変更が第４実施例と同様に行われ（ここでは、ｉは１、２又は３）、４回目の撮影指示ＱSが入力されると４回目の撮影指示ＱSの入力に応答した第４対象画像の表示及び第１〜第４対象画像の合成処理が第４実施例と同様に行われる。当該合成処理によって得られた合成画像（例えば図１５の合成画像６２０）の画像信号は１枚の静止画像（組写真）の画像信号として記録媒体１５に記録される。
【００５６】
別の具体例を示す。図８に示す如く、当初、表示領域４００がスルー表示領域に設定されて表示領域４００にスルー画像が表示され、且つ、表示領域４００が被分割表示領域として機能している場合を想定する。図１７も参照する。表示領域４００に対するスルー処理の実行中に、分割境界線ＤＬ１’、ＤＬ２’及びＤＬ３’を定義する１、２及び３回目の分割指示ＱDが順次入力されると、主制御部１３は、表示領域４００を、表示領域６５１、６５２、６５３及び６５４に分割する。このとき、分割によって得られた４つの表示領域間の境界をユーザに視認させるような表示を行うと良い。図１７の例において、分割境界線ＤＬ１’、ＤＬ２’及びＤＬ３’の夫々は表示画面１４の垂直方向と平行であり、結果、表示領域６５１〜６５４は、この順番で、表示画面１４の左から右に向かって並んでいるものとする。
【００５７】
図１８に示す如く、表示領域６５１〜６５４の設定後も、表示領域６５１〜６５４の合成領域である表示領域４００を用いたスルー処理が行われる。そして、
１回目の撮影指示ＱSが入力されると、スルー表示領域は表示領域６５２〜６５４の合成領域６５７に変更され、合成領域６５７を用いたスルー処理が実行される一方、１回目の撮影指示ＱSに応答して取得された第１対象画像が表示領域６５１に表示される。
２回目の撮影指示ＱSが入力されると、スルー表示領域は表示領域６５３及び６５４の合成領域６５８に変更され、合成領域６５８を用いたスルー処理が実行される一方、２回目の撮影指示ＱSに応答して取得された第２対象画像が表示領域６５２に表示される。
３回目の撮影指示ＱSが入力されると、スルー表示領域は表示領域６５４に変更され、表示領域６５４を用いたスルー処理が実行される一方、３回目の撮影指示ＱSに応答して取得された第３対象画像が表示領域６５３に表示される。
４回目の撮影指示ＱSが入力されると、スルー処理は停止され、４回目の撮影指示ＱSに応答して取得された第４対象画像が表示領域６５４に表示される。一方で、画像処理部１２は、第１〜第４対象画像が表示されているときの表示画面１４の表示レイアウトに沿って、第１〜第４対象画像を合成することにより合成画像を生成する。合成画像の画像信号は１枚の静止画像（組写真）の画像信号として記録媒体１５に記録される。
【００５８】
このように、表示領域４００が第１〜第ｎ領域に分割された後、第１〜第ｎ回目の撮影指示ＱSが順次入力される過程において、第ｊ回目の撮影指示ＱSが入力されたとき、主制御部（表示制御部）１３は、第ｊ領域に第ｊ回目の撮影指示ＱSに対応する第ｊ対象画像を表示する一方で、第（ｊ＋１）〜第ｎ領域から成る残表示領域を用いてスルー処理を行っても良い（ｎは２以上の整数、ｊは、１以上且つ（ｎ−１）以下の整数）。
【００５９】
図１８の例では、対象画像が表示されている表示領域以外の表示領域の全てを用いてスルー処理を行っているが、図１６の例のように、表示領域６５１〜６５４の設定後は、表示領域６５１〜６５４の内、何れか１つの表示領域をスルー表示領域に設定しても良い。
【００６０】
本実施形態によれば、スルー処理の実行中に、撮影対象の大きさ及び形状やユーザ（撮影者）の気分に合わせ、ユーザ所望の領域分割を簡単に行うことができ、撮影済み画像である対象画像等の配置に関する自由度が高まる。
【００６１】
近年、ＳＮＳ（ソーシャルネットワーキングサービス）や所謂ブログ等に写真を掲載する際、複数の静止画像を組み合わせた組写真が用いられることが多い。組写真の作成方法として、予め用意された組写真用のテンプレートにユーザ自身がパーソナルコンピュータ上で撮影済み画像を嵌め込んでいく第１方法がある。或いは、組写真作成が可能なデジタルカメラを用い、予め用意されたテンプレートに撮影済み画像を嵌め込んでいく第２方法もある（上記特許文献１参照）。第１方法はユーザにとって手間がかかる。第２方法では、予め用意されたテンプレートに沿ってしか撮影済み画像を配列することができない。
【００６２】
どのような配置関係にて撮影済み画像を配置するのが最適であるか又はユーザが最適であると考えるかは、その時々の撮影対象の大きさ及び形状やユーザの気分に依存する。本実施形態の撮像装置１によれば、事前にテンプレートを用意する必要が無く、その時々の撮影対象の大きさ及び形状やユーザ（撮影者）の気分に合わせて、ユーザの望む通りのレイアウトを持った組写真を生成することが可能である。画像配列内容を定める分割指示ＱDを、スルー処理中にリアルタイムに受け付けることで、シャッタチャンスを逃すことなく所望の組写真を取得できる。
【００６３】
＜＜変形等＞＞
本発明の実施形態は、特許請求の範囲に示された技術的思想の範囲内において、適宜、種々の変更が可能である。以上の実施形態は、あくまでも、本発明の実施形態の例であって、本発明ないし各構成要件の用語の意義は、以上の実施形態に記載されたものに制限されるものではない。上述の説明文中に示した具体的な数値は、単なる例示であって、当然の如く、それらを様々な数値に変更することができる。
【００６４】
上述の説明及び参照した各図では、分割指示ＱDに従った分割により矩形の表示領域が得られることを想定しているが、分割指示ＱDに従った分割により得られる各表示領域の形状は任意である。分割指示ＱDにおいて、操作体が始点から終点に向かう時の操作体の移動軌跡に曲線又は折れ線が含まれても良く、その場合、分割によって得られる表示領域及び切り出し枠ＣＦの形状は矩形とはならず、該形状に曲線が含まれうる。
【００６５】
撮影指示ＱS及び分割指示ＱDの入力は、上述のタッチパネル操作に限定されない。操作部１６に設けられうる機械式操作部材を用いて、撮影指示ＱS及び／又は分割指示ＱDの入力が行われても良い。
【００６６】
撮像装置１を内蔵した任意の電子機器（携帯電話機、携帯情報端末、パーソナルコンピュータ、電子書籍リーダ、電子辞書、ゲーム機器又はナビゲーション装置等）を形成しても良い。尚、撮像装置１も電子機器の一種である。
【００６７】
撮像装置１としての対象装置又は画像処理部１２及び主制御部１３から成る対象装置を、集積回路等のハードウェア、或いは、ハードウェアとソフトウェアの組み合わせによって構成することができる。対象装置にて実現される機能の全部又は一部である任意の特定の機能をプログラムとして記述して、該プログラムを対象装置に搭載可能なフラッシュメモリに保存しておき、該プログラムをプログラム実行装置（例えば、対象装置に搭載可能なマイクロコンピュータ）上で実行することによって、その特定の機能を実現するようにしてもよい。上記プログラムは任意の記録媒体に記憶及び固定されうる。上記プログラムを記憶及び固定する記録媒体は対象装置と異なる機器（サーバ機器等）に搭載又は接続されても良い。
【符号の説明】
【００６８】
１  撮像装置
１１  撮像部
１２  画像処理部
１３  主制御部
１４  表示画面
ＴＤ  タッチ検出部
ＣＦ  切り出し枠
【図１】
2014176058.tif 000003
【図２】
2014176058.tif 000004
【図３】
2014176058.tif 000005
【図４】
2014176058.tif 000006
【図５】
2014176058.tif 000007
【図６】
2014176058.tif 000008
【図７】
2014176058.tif 000009
【図８】
2014176058.tif 000010
【図９】
2014176058.tif 000011
【図１０】
2014176058.tif 000012
【図１１】
2014176058.tif 000013
【図１２】
2014176058.tif 000014
【図１３】
2014176058.tif 000015
【図１４】
2014176058.tif 000016
【図１５】
2014176058.tif 000017
【図１６】
2014176058.tif 000018
【図１７】
2014176058.tif 000019
【図１８】
2014176058.tif 000020